(57)【要約】【課題】突当て部から撮像部への反射光を効果的に抑制できる非接触式スキャナ装置を提供する。【解決手段】帳票などの撮像対象Ｗの縁を突き当てる突当て部３と、突当て部３により位置決めされた撮像対象Ｗを上方から撮像する撮像部４と、を備えた非接触式スキャナ装置１において、突当て部３を、平面視して、撮像対象Ｗに対して複数の点接触部Ｐにより突き当たる構造とする。突当て部３は、平面視して、点接触部Ｐを頂点とした三角形状を呈することが好ましい。また、点接触部Ｐを挟んだ２つの側面は、平面視して、撮像対象Ｗの縁に対して共に４５度以上の交差角度をなすように形成されることがより好ましい。【選択図】図１
2010233132.tif 000002
【特許請求の範囲】
【請求項１】
撮像対象の縁を突き当てる突当て部と、
前記突当て部により位置決めされた撮像対象を上方から撮像する撮像部と、
を備えた非接触式スキャナ装置において、
前記突当て部は、平面視して、撮像対象に対して複数の点接触部により突き当たる構造からなることを特徴とする非接触式スキャナ装置。
【請求項２】
前記突当て部は、平面視して、前記点接触部を頂点とした三角形状を呈することを特徴とする請求項１に記載の非接触式スキャナ装置。
【請求項３】
前記突当て部における前記点接触部を挟んだ２つの側面は、平面視して、撮像対象の縁に対して共に４５度以上の交差角度をなすように形成されていることを特徴とする請求項２に記載の非接触式スキャナ装置。
【発明の詳細な説明】
【技術分野】
【０００１】
本発明は、非接触式スキャナ装置に関する。
【背景技術】
【０００２】
図６は従来の非接触式スキャナ装置の説明図であり、（ａ）、（ｂ）はそれぞれ平面図、側断面図である。非接触式スキャナ装置３１は、帳票などの撮像対象Ｗの縁を突き当てる突当て部３２と、この突当て部３２により位置決めされた撮像対象Ｗを上方から撮像する撮像部３３と、を備えた構造からなり、撮像部３３で撮像された画像データは例えばＯＣＲ処理される。
【０００３】
突当て部３２の突当て面３４は、撮像対象Ｗの縁に沿って延設されており、また、撮像対象Ｗを突き当てる際の操作性や厚みの異なる撮像対象Ｗであっても全て定位置で位置決めさせる機能などの点から鉛直面として形成されている。以上の構造は例えば特許文献１に記載されている。
【先行技術文献】
【特許文献】
【０００４】
【特許文献１】特開２００５−１２４６７号公報
【発明の概要】
【発明が解決しようとする課題】
【０００５】
非接触式スキャナ装置の小型化に伴い撮像部３３の位置を低くした場合、前記突当て面３４が撮像範囲に大きく臨むこととなるので、図６（ｂ）に示すように、白色の帳票などでは、撮像対象Ｗからの照り返し（散乱光）が突当て面３４に当たり、その反射光が画像データとして撮像されてしまうおそれがある。
【０００６】
すなわち、画像データをＯＣＲ処理する場合には撮像対象Ｗの位置や傾きを検出するために、通常は突当て部３２や撮像対象Ｗの載置マット（図示せず）などを黒色にし、撮像背景が全て黒色の画像となるようにしているのであるが、前記突当て面３４からの反射光が撮像部３３に入った場合には、黒色の撮像背景に白い画像（ノイズ）が混じり、この白いノイズによってＯＣＲ処理時の撮像対象Ｗの読取位置がずれるなどＯＣＲ用途に適さない画像になる懸念がある。
なおこの突当ては、図６に示すようなものの他、撮像対象Ｗの載置位置に沿って所定の間隔で円柱や四角柱等の突起を設けたようなものも考えられる。この場合も、前記突当て面３４に相当する側面があるので、同様の懸念がある。
【０００７】
従来では撮像部３３が比較的高い位置にあって突当て面３４への視野角が小さいため、突当て面３４をシボ加工するなどの反射抑制策でも対応可能であったが、スキャナ装置の小型化により撮像部３３の位置が低くなる場合には突当て面３４への視野角が大きくなるため反射光を抑制しきれない場合が多くなると予想される。また、シボ加工を行った場合であっても、強い光が当たる場合には散乱しきれない光が撮像部３３に入ってしまうため、効果が得られない場合もある。
【０００８】
また、突当て部３２の上面については、撮像部３３への反射が低減されるような角度をつけて形成することは容易であるが、突当て面３４については、前記したように、撮像対象Ｗを突き当てる際の操作性や厚みの異なる撮像対象Ｗの定位置での位置決め機能などが要求されるため、鉛直面以外に形成することは困難である。
【０００９】
本発明は、このような課題を解決するために創作されたものであり、突当て部から撮像部への反射光を効果的に抑制できる非接触式スキャナ装置を提供することを目的としている。
【課題を解決するための手段】
【００１０】
本発明は、前記目的を達成するため、撮像対象の縁を突き当てる突当て部と、前記突当て部により位置決めされた撮像対象を上方から撮像する撮像部と、を備えた非接触式スキャナ装置において、前記突当て部は、平面視して、撮像対象に対して複数の点接触部により突き当たる構造からなることを特徴とする。
【００１１】
本発明によれば、撮像対象の縁に臨む面が存在せず、突当て部が撮像対象に対して複数の点接触部により突き当たるため、撮像対象の照り返しに起因する突当て部から撮像部への反射光量が低減される。
【００１２】
また、前記突当て部は、平面視して、前記点接触部を頂点とした三角形状を呈することを特徴とする。
【００１３】
これによれば、撮像対象からの照り返しは、点接触部を挟んだ２つの側面に当たって横方向（撮像対象の縁に沿う方向）の成分を含んで反射されることとなり、撮像対象の上方に位置する撮像部への反射光量が低減される。
【００１４】
また、前記突当て部における前記点接触部を挟んだ２つの側面は、平面視して、撮像対象の縁に対して共に４５度以上の交差角度をなすように形成されていることを特徴とする。
【００１５】
これによれば、撮像対象からの照り返しを、平面視して、撮像対象の縁と平行に、或いは撮像対象から離れる側に向けて反射させることができ、撮像対象の上方に位置する撮像部への反射光量が一層低減される。
【発明の効果】
【００１６】
本発明によれば、撮像対象の照り返しに起因する突当て部から撮像部への反射光量が低減され、撮像データにおける白色ノイズの発生を抑えることができる。
【図面の簡単な説明】
【００１７】
【図１】本発明に係る非接触式スキャナ装置の外観斜視図である。
【図２】本発明に係る非接触式スキャナ装置の平面図である。
【図３】突当て部の作用説明図であり、（ａ）、（ｂ）はそれぞれ外観斜視図、平面図を示す。
【図４】撮像対象の縁と突当て部の側面との交差角度を示す平面図である。
【図５】（ａ）〜（ｃ）は突当て部の各形状変形例の平面図である。
【図６】従来の非接触式スキャナ装置の説明図であり、（ａ）、（ｂ）はそれぞれ平面図、側断面図である。
【発明を実施するための形態】
【００１８】
図１、図２において、本発明に係る非接触式スキャナ装置１は、帳票などの撮像対象Ｗを載置する載置台２と、この載置台２に固設され、撮像対象Ｗの縁を突き当てる突当て部３と、この突当て部３により位置決めされた撮像対象Ｗを上方から撮像する撮像部４と、を備える。
【００１９】
載置台２は、その載置面が、外光の反射を抑制するように明度の低い色、例えば黒色を呈しており、樹脂材やゴム材などで形成されている。
【００２０】
撮像部４は、ＣＣＤセンサ等の撮像素子から構成され、例えば周囲の自然光により照らされた撮像対象Ｗを撮像して画像データを取得する。取得した画像データは例えばＯＣＲ（Ｏｐｔｉｃａｌ  Ｃｈａｒａｃｔｅｒ  Ｒｅｃｏｇｎｉｔｉｏｎ）処理される。撮像部４は、例えば支持アーム５を介して載置台２に取り付けられている。
【００２１】
本発明は、図２からも判るように、突当て部３を、平面視して、撮像対象Ｗに対して複数の点接触部Ｐにより突き当たる構造としたことを主な特徴とする。点接触部Ｐは、撮像対象Ｗの隣り合う２辺に突き当たるようにその各辺に沿って複数配置されている。
【００２２】
従来では、図６に示したように、撮像対象Ｗの縁に沿った突当て面３４が存在するため、撮像対象Ｗが明度の高い白色の帳票などの場合には、帳票の縁周りからの照り返し（反射光）が突当て面３４に当たり、その反射光が撮像部４により画像データとして撮像されてしまうおそれがあることは既述した通りである。
これに対し、本発明によれば、図１、図２に示すように、突当て部３が撮像対象Ｗに対して複数の点接触部Ｐにより突き当たるため、前記突当て面３４のような撮像対象Ｗの縁に臨む面が存在しない。したがって、撮像対象Ｗの照り返しに起因する突当て部３から撮像部４へ反射する反射光量が低減される。
【００２３】
なお、載置台２と同様に、突当て部３も外光の反射を抑制するように明度の低い色、例えば黒色を呈した部材として構成され、樹脂材やゴム材などで形成されている。
【００２４】
突当て部３の具体的な一形状例としては、平面視して、点接触部Ｐを頂点とした三角形状を呈するように形成することが好ましい。図１、図２では、点接触部Ｐを頂点とした二等辺の定断面三角柱とした場合を示している。勿論、点接触部Ｐを構成する頂点部は、撮像対象Ｗを突き当てる際の操作性や厚みの異なる撮像対象Ｗに対する定位置での位置決め機能などを満たすべく、鉛直方向に沿って形成されている。なお、本発明に加えて、突当て部３の表面にはシボ加工等の公知の低反射加工を施してもよい。
【００２５】
このように、突当て部３を、平面視して、点接触部Ｐを頂点とした三角形状を呈するように構成すれば、図３に示すように、撮像対象Ｗからの照り返しは、点接触部Ｐを挟んだ２つの側面６、６に当たって横方向（撮像対象Ｗの縁に沿う方向）の成分を含んで反射されることとなり、撮像対象Ｗの上方に位置する撮像部４へ反射する反射光量が低減される。
【００２６】
ここで、前記２つの側面６、６は、平面視して、撮像対象Ｗの縁に対して共に４５度以上の交差角度θ（図４）をなすように形成されていることが好ましい。図４は、前記交差角度θを４５度とした場合を示しており、この場合、撮像対象Ｗの縁と直交する方向における撮像対象Ｗの照り返しは、側面６、６に当たって撮像対象Ｗの縁と平行となるように反射される。そして、交差角度θを４５度よりも大きく設定すれば、撮像対象Ｗからの照り返しは、図３に示したように撮像対象Ｗから離れる側に向けて反射され、交差角度θを４５度よりも小さく設定すると、撮像対象Ｗからの照り返しは、撮像対象Ｗに戻る側に向けて反射される。
【００２７】
したがって、２つの側面６、６を、撮像対象Ｗの縁に対して共に４５度以上の交差角度θをなすように形成することで、撮像対象Ｗからの照り返しを、平面視して、撮像対象Ｗの縁と平行に、或いは撮像対象Ｗから離れる側に向けて反射させることができ、撮像対象Ｗの上方に位置する撮像部４への反射光量が一層低減される。
【００２８】
以上、本発明の好適な実施形態を説明した。本発明に係る突当て部３の形状は図５に示すように様々なものが考えられる。図５（ａ）の突当て部３は、平面視して、点接触部Ｐを頂点とした三角形状を呈している点については図１〜３に示した例と同じであるが、２つの側面６が二等辺の関係になく、一方の側面６が撮像対象Ｗの縁と直交する方向に延設されている点で図１〜３に示した例と異なっている。この図５（ａ）の突当て部３によっても、撮像対象Ｗの上方に位置する撮像部４（図１）への反射光量を低減させることができる。
【００２９】
図５（ｂ）の突当て部３は、側面６を平面視して凹状の曲面となるように形成した場合を示している。この図５（ｂ）の突当て部３によっても、撮像対象Ｗの上方に位置する撮像部４（図１）への反射光量を低減させることができる。
【００３０】
図５（ｃ）は、複数の突当て部３を一体に形成した場合を示している。突当て部３同士の連結箇所は撮像対象Ｗの縁から距離が空いているため、この連結箇所における撮像対象Ｗからの照り返しの反射はさほど問題とはならない。この図５（ｃ）の突当て部３によっても、撮像対象Ｗの上方に位置する撮像部４（図１）への反射光量を低減させることができる。複数の突当て部３を一体に形成することで、載置台２に対する組み付けも容易になる。
【符号の説明】
【００３１】
１      非接触式スキャナ装置
２      載置台
３      突当て部
４      撮像部
６      側面
Ｐ      点接触部
Ｗ      撮像対象
θ      交差角度
【図１】
2010233132.tif 000003
【図２】
2010233132.tif 000004
【図３】
2010233132.tif 000005
【図４】
2010233132.tif 000006
【図５】
2010233132.tif 000007
【図６】
2010233132.tif 000008